(57)【要約】【課題】便秘の原因となるストレスや緊張を改善することで、排便を促進することを目的としている。【解決手段】圧電センサー１５によって使用者の生体情報を収集し、使用者のストレスや緊張弛緩状態により、酸素富化手段７の運転を制御し、酸素富化空気を供給することで、酸素富化空気によりストレスを緩和し使用者をリラックスさせることができ、リラックスさせることで便秘の原因を取り除き、排便を促進することができる。【選択図】図１
2007032088.tif 000002
【特許請求の範囲】
【請求項１】
便座と、便座に着座中の使用者の生体情報を収集する生体情報収集手段と、高濃度の酸素を生成し、前記使用者へ供給する酸素富化手段と、前記生体情報収集手段からの出力により使用者の緊張弛緩状態を評価する演算手段と、前記生体情報収集手段からの出力に基づく前記演算手段の評価によって前記酸素富化手段の運転を制御する制御手段を備えた酸素富化機能付き便座装置。
【請求項２】
酸素富化手段は、供給する酸素富化空気の流路となるホースと前記ホースに接続し、使用者の口元にまで酸素富化空気を供給する使用者の頭部へ着脱するヘッドセットを有する請求項１記載の酸素富化機能付き便座装置。
【請求項３】
生体情報収集手段は、ヘッドセットに設けてなる請求項１または２に記載の酸素富化機能付き便座装置。
【請求項４】
制御手段は、酸素濃度可変手段と流量可変手段を有し、生体情報収集手段の出力によって酸素濃度および流量を制御する請求項１〜３のいずれか１項に記載の酸素富化機能付き便座装置。
【請求項５】
生体情報収集手段は、便座に設けた少なくとも２つ以上の電極とし、使用者の臀部より生体情報を収集する請求項１〜４のいずれか１項に記載の酸素富化機能付き便座装置。
【請求項６】
酸素富化手段のホースを伸縮自在に形成してなる請求項２〜５のいずれか１項に記載の酸素富化機能付き便座装置。
【請求項７】
酸素富化手段は断続的に運転し、使用者に深呼吸をうながすようにしてなる請求項１〜６のいずれか１項に記載の酸素富化機能付き便座装置。
【請求項８】
酸素富化手段は、酸素富化空気に芳香成分を付加する芳香手段を設けてなる請求項１〜７のいずれか１項に記載の酸素富化機能付き便座装置。
【請求項９】
芳香手段は、生体情報収集手段からの出力によって芳香成分の付加量を制御する芳香制御手段を設けてなる請求項８記載の酸素富化機能付き便座装置。
【発明の詳細な説明】
【技術分野】
【０００１】
本発明は、酸素富化手段を備えた便座装置に関し、特に排便促進機能を有する便座装置に関するものである。
【背景技術】
【０００２】
従来、排便促進機能を有する便座装置は、特許文献１に代表されるように、排便行為の際に力むことがないように、洗浄水の強さを強弱と繰り返して局部に向けて噴出し、一種のマッサージ効果によって排便行為をスムーズに行えるような工夫がされてきた。
また、トイレ空間内の酸素不足を防止し、酸素濃度を一定に保つために、トイレ空間内に酸素富化装置を設けたものもあった。
【特許文献１】特開２０００−９６６７２号公報
【発明の開示】
【発明が解決しようとする課題】
【０００３】
上記従来の便座装置は、使用者が便意を感じている時に洗浄水によるマッサージの刺激によって排便を促しサポートするもので、便秘の原因そのものを解消するためのものではなかった。また、トイレ空間内に酸素富化装置を設ける目的は、狭いトイレ空間内の酸素濃度を一定に保つことで心肺への負担を軽減することにあり、排便を促進および便秘の原因を改善するために設けられたものではなかった。
【０００４】
一般に便秘には、慢性的なものや、ストレスや緊張などによる神経性のもの、偏食など食生活の乱れによるもの、腸などの病気が原因で起こるもの、排便を行なうための筋力不足によるもの等さまざまな原因があり、さらに慢性的な便秘においては、便意を我慢する行為を繰り返すことで、便意に対する反応が鈍り便意を感じにくくなることもあった。このように便秘の原因が食生活や病気、筋力不足などに起因する場合は、使用者自らが便秘原因の解消を行なわなくてはならないが、便秘の原因がストレスや緊張などによる神経性のものの場合は使用者のみでは、改善しにくいものであった。
【０００５】
さらに、神経性のストレスを緩和する方法として、アロマテラピー等の方法も用いられており、トイレ空間内に芳香剤を供給することで、ストレスを改善する方法も用いられているが、香りの好みについては個人差があり、使用者により心地よいと感じる香りは異なり、さらには香りの濃度においても、ある人が心地よいと思う濃度がすべての人に受け入れられるものではなく、反対に不愉快な気分になることもある。さらに芳香成分のみでリラクゼーション効果を得るためには、芳香剤の使用量が増加し、芳香剤の取替え頻度が増すという課題もあった。
【０００６】
上記従来の問題点に鑑み、本発明が解決しようとする課題は、便秘の原因となるストレスや緊張を改善することで、排便を促進することにある。
【課題を解決するための手段】
【０００７】
本発明の酸素富化機能付き便座装置は、便座と、便座に着座中の使用者の生体情報を収集する生体情報収集手段と、高濃度の酸素を生成し、前記使用者へ供給する酸素富化手段と、前記生体情報収集手段からの出力により使用者の緊張弛緩状態を評価する演算手段と、前記生体情報収集手段からの出力に基づく前記演算手段の評価によって前記酸素富化手段の運転を制御する制御手段を備えたもので、使用者のストレスや緊張状態により、酸素富化手段の運転を制御し、酸素富化空気を供給することで、酸素富化空気によりストレスを緩和し使用者をリラックスさせることができ、リラックスさせることで便秘の原因を取
り除き、排便を促進することができる。
【発明の効果】
【０００８】
本発明の酸素富化機能付き便座装置は、生体情報収集手段によって使用者の生体情報を収集することで、排便時の使用者のストレスや緊張弛緩状態を評価し、これに応じて酸素富化空気を供給し、使用者のストレスや緊張を緩和しリラックスさせることで便秘の原因を取り除き、排便を促進することができる。
【発明を実施するための最良の形態】
【０００９】
第１の発明は、便座と、便座に着座中の使用者の生体情報を収集する生体情報収集手段と、高濃度の酸素を生成し、前記使用者へ供給する酸素富化手段と、前記生体情報収集手段からの出力により使用者の緊張弛緩状態を評価する演算手段と、前記生体情報収集手段からの出力に基づく前記演算手段の評価によって前記酸素富化手段の運転を制御する制御手段を備えたものである。
【００１０】
これにより、生体情報収集手段によって使用者の生体情報を収集し、この生体情報に基づく演算手段により排便時の使用者のストレスや緊張状態を評価することができる。この評価した使用者のストレスや緊張状態により、酸素富化手段の運転を制御し、酸素富化空気を供給することで、酸素富化空気により使用者のストレスを緩和しリラックスさせることができ、そしてリラックスさせることで便秘の原因を取り除き、排便を促進することができる。
【００１１】
第２の発明は、特に第１の発明の酸素富化手段を、供給する酸素富化空気の流路となるホースと前記ホースに接続し、使用者の口元にまで酸素富化空気を供給する使用者の頭部へ着脱するヘッドセットを有する構成にしているから、使用者がヘッドセットを装着することで、使用者の動きや姿勢に関係なく確実に酸素富化空気を供給することができる。
【００１２】
第３の発明は、特に第１の発明の生体情報収集手段を、第２の発明のヘッドセットに設けた構成とし、ヘッドセットを通じて生体情報を収集することで、使用者に負担をかけずに、使用者の動きや姿勢にとらわれず確実に生体情報を収集することができる。
【００１３】
第４の発明は、特に第１〜第３のいずれか１つの発明の制御手段を、酸素濃度可変手段と流量可変手段を有する構成とし、生体情報収集手段の出力によって酸素濃度および流量を制御するものであるから、生体情報収集手段の出力によって酸素濃度および流量を制御することで、使用者の体調に合わせた酸素富化空気を供給することができる。
【００１４】
第５の発明は、特に第１〜第４のいずれか１つの発明の生体情報収集手段を、便座に設けた少なくとも２つ以上の電極で構成し、使用者の臀部より生体情報を収集するものであるから、使用者のいきみを検出することも可能であり、使用者に負担をかけずに生体情報を収集することができる。
【００１５】
第６の発明は、特に第２〜第５のいずれか１つの発明の酸素富化手段の流路となるホースを伸縮自在に形成することにより、ホースの弛みやからみ、捻れを防止することができる。
【００１６】
第７の発明は、特に第１〜第６のいずれか１つの発明の酸素富化手段を、断続的に運転し、使用者に深呼吸をうながすようにしているから、断続的に供給される酸素富化空気が使用者に深呼吸をうながし、深呼吸によるリラックス効果を得ることができる。
【００１７】
第８の発明は、特に第１〜第７のいずれか１つの発明の酸素富化手段の酸素富化空気の
流路に芳香成分を付加する芳香手段を設けることにより、芳香成分によりリラックス効果をさらに高めることができ、酸素によるリラックス効果を併用することで芳香剤の使用量を低減することができる。
【００１８】
第９の発明は、特に、第８の発明の芳香手段に、生体情報収集手段からの出力によって芳香成分の付加量を制御する芳香制御手段を設けたものであるから、使用者がリラックスできる芳香を呈示することができる。
【００１９】
以下、本発明の実施の形態について、図面を参照しながら説明する。なお、この実施の形態によって本発明が限定されるものではない。また、本実施の形態の説明において、同一構成並びに作用効果を奏するところには同一符号を付して重複した説明を行わないものとする。
【００２０】
（実施の形態１）
図１は、本発明の第１の実施の形態における酸素富化機能付き便座装置の概略図で、図２は同酸素富化機能付き便座装置の動作ブロック図である。図１および図２において、便器１上に、一般に知られている温水洗浄便座装置が設置されている。温水洗浄便座装置は、用便後の人体の局部に温水を噴出して洗浄する機能および局部に温風を吹き付けて乾燥させる機能等を有し、便座としての洗浄便座３とその上を覆う便蓋４を備え、洗浄便座３の後端部に設けてある温水洗浄便座本体５の内部には酸素富化手段７を備えている。
【００２１】
酸素富化手段７は、周囲の空気を取り入れる吸入部８と酸素濃度が高められた空気（以下、酸素富化空気という）吐出する酸素富化空気吐出部６を設け、空気搬送手段としての真空ポンプ９、酸素と窒素を分離する酸素富化膜１０を有しており、真空ポンプ９が動作することで、酸素富化空気吐出部６から酸素富化空気が吐出され、酸素富化空気吐出部６に接続したホース１１を通って洗浄便座３に着座して用便時の使用者Ａの口元付近に供給される構成となっている。
【００２２】
また、酸素酸素富化手段７は後述する弁等の流量調整手１９で酸素富化空気吐出部６から出る酸素富化空気量を制御され、さらに後述する吸引弁等の酸素濃度可変手段１８で外部より吸引した空気を酸素富化空気に混入され濃度が可変する構成になっている。
【００２３】
ホース１１には、洗浄便座３に着座して使用者Ａが本装置を使用して酸素富化空気を吸引するときに、頭部近傍に装着するヘッドセット１２が接続され、ヘッドセット１２は使用者の耳に着脱自在に掛けて固定するための耳掛け部１３および酸素富化空気を使用者Ａの口元付近に供給する酸素富化空気口元吐出口１４が設けられている。
【００２４】
また、ヘッドセット１２の耳掛け部１３には、生体情報収集手段１６ａとしてのシート状の圧電センサー１５を備えた心拍検出手段１６が設けられ、使用者の頭部（耳上部）から、心機図を検出する構成となっている。心機図とは、心臓の拍動に伴う体表面の振動で、薄膜加工されたポリフッ化ビニリデンなどの高感度の圧力センサーを用いれば容易にセンシングすることができる。そして、得られた心機図から、ピーク間間隔を求めることにより、ほぼ心拍に対応した系列データを得ることができる。
【００２５】
演算手段１７は、心拍検出手段１６による心機図から、ピーク間間隔を求めることで得た心拍系列データを周波数解析し、周波数成分（高周波成分および低周波成分）から使用者の緊張弛緩状態を評価するものである。また、演算手段１７は使用者の緊張弛緩状態を評価した評価信号と後述する制御手段２０からのフィードバック信号を比較した結果を比較信号として制御手段２０に出力する。
【００２６】
制御手段２０は、演算手段１７の評価による用便中の使用者の緊張弛緩状態から酸素富化手段７の運転を制御する、酸素濃度可変手段１８および流量調整手段１９を備えている。すなわち、制御手段２０は生体情報収集手段１６ａに基づく演算手段１７の比較信号に応じて酸素濃度可変手段１８および流量調整手段１９を制御し、酸素富化空気の濃度と流量を調整して供給するように酸素富化手段７を制御する。
【００２７】
すなわち、制御手段２０は、演算手段１７からの比較信号に応じて酸素富化空気の量および濃度を、使用者が最もリラックスできる状態に酸素富化手段７を制御できるように予め実験的に求めたデータをテーブル表として記憶部に格納しており、従って演算手段１７からの比較信号に基づき、これに対応する値を格納部から取り出した制御信号により酸素富化手段７を制御し、使用者が最もリラックスできる状態に酸素富化手段７の運転を行なうように構成している。
【００２８】
以上のように構成された酸素富化機能付き便座装置について、以下その動作、作用を説明する。トイレ室に入ってきた使用者が用便に必要な脱衣をして便座３に座り、ヘッドセット１２を頭部に装着すると、耳掛け部１３に設けた心拍検出手段１６が使用者の耳上部に密着し、使用者の頭部から心機図を検出する。そして、演算手段１７は、心拍検出手段１６による心機図から、ピーク間間隔を求め心拍系列データを作成し、時系列データの周波数解析を行なう。そして得られた周波数データより、高周波成分および低周波成分を求め使用者の緊張弛緩状態を評価する。
【００２９】
このようにして演算手段１７で得られた使用者Ａの緊張弛緩状態の評価信号とフィードバック信号との比較信号から、使用者が緊張状態にあると判定した時に、この判定信号を受けた制御手段２０が酸素富化手段７を運転し、ホース１１を介してヘッドセット１２の酸素富化空気口元吐出口１４より使用者Ａに酸素富化空気を供給する。ここで、酸素富化膜により酸素富化空気が得られる原理について説明する。
【００３０】
酸素富化膜は有機高分子の平膜により構成され、膜を通過する分子の速度の差を利用するもので、空気中の窒素に比べ酸素をよく通す膜を使用することで、膜通過前よりも酸素濃度が高い酸素富化空気を得ることができる。通常の空気において酸素濃度は約２１％（窒素約７９％）であり、生成される酸素富化空気の酸素濃度や風量は、酸素富化膜の形態、大きさなどによって変わるが、本実施例では、酸素富化膜を通過後の酸素富化空気の酸素濃度が約３０％（窒素約７０％）となるものを用いている。
【００３１】
酸素富化膜を複数並列してつなげることで、より酸素濃度の高い空気を得ることも可能である。一般に酸素富化空気の吸引には、リフレッシュ効果やリラクゼーション効果があることが知られており、酸素富化空気を吸引することで使用者Ａの緊張状態を緩和することができる。
【００３２】
精神的に緊張した状態では、排便がスムーズに行なわれないことは周知の事実であり、排便をスムーズに行なうためには自律神経の興奮緩和が必要であることから、酸素富化空気を吸引することで使用者の緊張状態を緩和し、排便をスムーズに行なうことができる。
【００３３】
さらに、酸素富化空気を吸引した使用者Ａの緊張緩和状態に応じて生体情報収集手段１６ａによるデータに基づく演算手段１７の評価信号と制御手段２０からの酸素富化手段７に対する制御信号のフィードバックを比較した演算手段１７の比較信号により、制御手段２０は再び酸素富化手段７の運転を制御することで、よりリラクゼーション効果を高めることができる。すなわち、生体情報収集手段１６ａによる使用者Ａの緊張弛緩状態に応じた演算手段１７の評価に応じて、酸素濃度可変手段１８と流量調整手段１９を制御手段２０が制御し、酸素富化空気の流量や濃度を可変し、使用者が最もリラックスできる状態に
酸素富化手段７の運転を行なうものである。
【００３４】
このように、本実施の形態では酸素富化空気を吸引することで使用者の緊張状態を緩和し、便秘の原因そのものを取り除くことで排便を促進することができる。
【００３５】
なお、使用者Ａによる酸素富化空気の吸引は、従来からの洗浄水による肛門刺激による排便促進を阻害するものではなく、本実施の形態では記載していないが、洗浄水による肛門刺激を組み合わせることでも、さらに排便促進効果を高めることができる。
【００３６】
また、本実施の形態では生体情報収集手段として圧電センサー１５を用いて、心拍を収集したが、ヘッドセット１２の左右に電極を設け、左右耳上部の電位差から心電図を検出する方法や、光学式脈波センサを設け、脈波から心拍を検出する方法を用いても本実施の形態と同様の効果を得ることができる。
【００３７】
さらに、酸素富化空気の供給方法としては、酸素富化膜を用いる以外にも、水を電気分解して酸素を生成する方法や、吸着剤を用いて酸素富化空気を供給する方法などを用いることができ、酸素富化空気の供給方法の違いにより、排便促進効果に差が出るものではない。
【００３８】
また、本実施の形態では、ヘッドセット１２を用いて使用者Ａに酸素富化空気を供給することで、使用者の動きや姿勢にとらわれることなく確実に酸素富化空気を供給することができる。
【００３９】
また、ヘッドセット１２に生体情報収集手段１６ａを設けたので、使用者Ａに負担をかけずに、使用者の動きや姿勢にとらわれることなく確実に生体情報を収集することができる。
【００４０】
また、酸素富化手段７の運転方法による使用者の緊張弛緩状態をフィードバックしながら、酸素濃度や流量を可変することで、使用者が最もリラックスできる状態に酸素富化手段７の運転を行なうことができる。
【００４１】
（実施の形態２）
図３は、本発明の第２の実施の形態における酸素富化機能付き便座装置の要部の動作ブロック図である。本実施の形態は、実施の形態１で言う心拍検出手段に相当する生体情報収集手段の設置場所と具体的な構成が実施の形態１と異なり、それ以外の基本的な構成並びに作用効果は同じなので、同一部分には同一符号を付し、かつ図示していない部分は図１を利用して異なるところを中心に説明する。
【００４２】
図３において、生体情報収集手段２１は、洗浄便座３に設け、洗浄便座３に着座した使用者の臀部より生体情報を収集するものであり、電極が３個以上配設された構成となっている。３個の電極２１ａ、２１ｂ、２１ｃは、ステンレス、錫、鉛、亜鉛、銀、白金、金、塩化銀等の金属材料からなっており、互いに電気的に絶縁され、３個の電極間の中央に位置する電極２１ｂをアースとして電極２１ａ、２１ｃ間の電位差を得ることができるように構成している。このように電極２１ｂをアース電極とすることでより正確な心電を計測することができるが、電極２１Ａおよび２１Ｃ間の電位差でも心電図を計測することは可能である。
【００４３】
そして、心電図からピーク間間隔を求めることで得た心拍系列データを周波数解析し、周波数成分（高周波成分および低周波成分）から使用者の緊張弛緩状態を評価する演算手段１７と、演算手段１７による使用者の緊張弛緩状態から酸素富化手段７の運転を制御す
る、酸素濃度可変手段１８および流量調整手段１９を有する制御手段２０を備えている。
【００４４】
以上のように構成された酸素富化機能付き便座装置について、以下その動作、作用を説明する。トイレ室に入ってきた使用者Ａが用便に必要な脱衣をして洗浄便座３に座ると、電極２１ａが右大腿部に、電極２１ｂが臀部に、電極２１ｃが左大腿部に密着する。そして、電極２１ｂをアース電極とし、電極２１ａ、２１ｃ間の電位差から使用者Ａの用便時の心電図を得ることができる。
【００４５】
演算手段１７は、心電図からピーク間間隔を求め心拍系列データを作成し、時系列データの周波数解析を行なう。そして、得られた周波数データより、高周波成分および低周波成分を求め使用者の緊張弛緩状態を評価する。このようにして演算手段１７で得られた使用者Ａの緊張弛緩状態から、実施の形態１で説明したように使用者Ａが緊張状態にあると判定した時に酸素富化手段７を制御手段２０が運転し、酸素濃度可変手段１８、流量調整手段１９により酸素富化手段７を制御して使用者Ａに酸素富化空気を供給する。
酸素富化空気の吸引には、リフレッシュ効果やリラクゼーション効果があることが知られており、酸素富化空気を吸引することで使用者Ａの緊張状態を緩和することができる。そして、便座５に生体情報収集手段２１を設けたことで、心電図のみでなく使用者のいきみを検出することも可能となり、使用者がいきんだ際にも酸素富化空気を使用者に供給することで、使用者のいきみによる酸素不足を解消することもできる。
【００４６】
さらに、酸素富化手段７を断続的に運転することで、断続的に供給される酸素富化空気が使用者に深呼吸をうながし、深呼吸によるリラックス効果を得ることができる。
【００４７】
また、酸素富化空気の流路となるホース１１を伸縮自在に形成することで、ホース１１の弛みやからみ、捻れを防止することができ、使い勝手の良い酸素付加機能付き便座装置を提供することができる。
【００４８】
（実施の形態３）
図４は、本発明の第３の実施の形態における酸素富化機能付き便座装置の要部の動作ブロック図である。本実施の形態は、実施の形態１または２のホース１１の途中に芳香手段を設け、その芳香手段を芳香制御手段で制御する構成が実施の形態１および２と異なり、それ以外の基本的な構成並びに作用効果は同じなので、同一部分には同一符号を付し、かつ図示していない部分は図１を利用して異なるところを中心に説明する。
【００４９】
図４において、酸素富化空気の流路であるホース１１の途中に芳香手段２２である芳香剤２３を担持したセラミックス２４を内包した芳香容器２５を設け、芳香容器２５には芳香剤２３を揮発させる加熱用のヒータ２６を設け、生体情報収集手段１６ａまたは２１および演算手段１７で評価した使用者の緊張弛緩状態から、ヒータ２６への通電を芳香制御手段としてのヒータ制御手段２７で制御する構成となっている。
【００５０】
以上の構成において、演算手段１７により用便時の使用者Ａの緊張弛緩状態を評価し、この演算手段１７で得られた使用者Ａの緊張弛緩状態に基づき、実施の形態１で説明したように洗浄便座３に着座した使用者Ａに酸素富化空気を供給する。その際、酸素富化空気のホース１１に設けた芳香容器２５内の芳香剤２３がヒータ２６に加熱されて揮発し、酸素富化空気とともに芳香成分が使用者Ａに供給される。
【００５１】
さらに、生体情報収集手段による使用者Ａの緊張緩和状態に応じて、芳香剤２３の香り強度を芳香制御手段であるヒータ制御手段２７によりヒータ２６への通電を制御することで、図１に示す実施の形態１および図３に示す実施の形態２で説明したようにリラクゼーション効果を、より高めることができる。具体的には、香りの強度を可変し、香りの強度
による使用者の緊張弛緩状態を酸素富化手段７より演算手段１７にフィードバックし、使用者が最もリラックスできる香りの強度に芳香成分の付加を行なうものである。
【００５２】
一般に、酸素富化空気の吸引および芳香剤の吸引には、人間に対しリフレッシュ効果やリラクゼーション効果があることが知られており、従って本実施の形態によれば、供給される酸素富化空気とともに芳香剤を使用者Ａが吸引することで、リラクゼーション効果をさらに高めるとともに、芳香剤の使用量を低減することができる。
【００５３】
なお、上記実施の形態ではホース１１の途中に芳香手段２２を設けたが、温水洗浄便座本体５内にあって酸素富化空気吐出部６の後流に設けてもよいものである。
【産業上の利用可能性】
【００５４】
以上のように本発明にかかる酸素富化機能付き便座装置によれば、生体情報収集手段によって使用者の生体情報を収集することで、排便時の使用者のストレスや緊張状態を測定し、使用者のストレスや緊張状態により、酸素富化空気を供給することで、酸素富化空気による使用者のストレスを緩和しリラックスさせることができ、そしてリラックスさせることで便秘の原因を取り除き、排便を促進することができ、排便のための機器に広く適用できる。
【図面の簡単な説明】
【００５５】
【図１】本発明の実施の形態１における酸素富化機能付き便座装置を示す概略図
【図２】同実施の形態１における酸素富化機能付き便座装置の動作ブロック図
【図３】本発明の実施の形態２における酸素富化機能付き便座装置を示す要部の動作ブロック図
【図４】本発明の実施の形態３における酸素富化機能付き便座装置を示す要部の動作ブロック図
【符号の説明】
【００５６】
３  洗浄便座（便座）
７  酸素富化手段
９  真空ポンプ
１０  酸素富化膜
１１  ホース
１２  ヘッドセット
１３  耳掛け部
１４  吐出口
１５  シート状圧電センサー
１６ａ、２１  生体情報収集手段
１７  演算手段
１８  酸素濃度化変手段
１９  流量調整手段
２０  制御手段
２２  芳香手段
２７  ヒータ制御手段（芳香制御手段）
【図２】
2007032088.tif 000003
【図３】
2007032088.tif 000004
【図１】
2007032088.tif 000005
【図４】
2007032088.tif 000006